(57)【要約】  データ提供システム（１００）は、データ提供装置（１１０）、情報処理装置（１２０）、電力供給装置（１３０）によって構成される。データ提供装置（１１０）は、電力によって駆動可能な移動体（１４０）に電力供給装置（１３０）から電力供給する際に、移動体（１４０）に搭載された情報処理装置（１２０）にコンテンツデータを提供する。取得部（１１１）は、電力供給に要する時間（以下、「充電所要時間」という）に関する情報を取得する。抽出部（１１２）は、充電所要時間に関する情報に基づいて、コンテンツデータの一部を抽出する。送出部（１１３）は、抽出部（１１２）によって抽出されたコンテンツデータを情報処理装置（１２０）に送出する。
2011104883.tif 000002
【特許請求の範囲】
【請求項１】
電力によって駆動可能な移動体に電力供給装置から電力供給する際に、前記移動体に搭載された情報処理装置にコンテンツデータを提供するデータ提供装置であって、
前記電力供給に要する時間（以下、「充電所要時間」という）に関する情報を取得する取得手段と、
前記充電所要時間に関する情報に基づいて、前記コンテンツデータの一部を抽出する抽出手段と、
前記抽出手段によって抽出されたコンテンツデータ（以下、「抽出コンテンツデータ」という）を前記情報処理装置に送出する送出手段と、
を備えたことを特徴とするデータ提供装置。
【請求項２】
前記抽出コンテンツデータを送出した後に、前記情報処理装置から前記コンテンツデータの全データの送出要求を受け付ける受付手段を備え、
前記送出手段は、前記受付手段によって前記送出要求を受け付けた場合、前記コンテンツデータの全データを前記情報処理装置に送出することを特徴とする請求項１に記載のデータ提供装置。
【請求項３】
前記全データの送出に対する課金処理をおこなう課金手段を備え、
前記課金手段は、前記抽出コンテンツデータの送出に対しては課金処理をおこなわないことを特徴とする請求項２に記載のデータ提供装置。
【請求項４】
前記抽出手段は、前記充電所要時間よりも再生時間が長いコンテンツデータの一部を抽出することを特徴とする請求項１に記載のデータ提供装置。
【請求項５】
前記抽出手段は、前記抽出コンテンツデータの再生時間が、前記充電所要時間よりも短くなるように前記抽出コンテンツデータを抽出することを特徴とする請求項１に記載のデータ提供装置。
【請求項６】
前記抽出手段は、複数の前記コンテンツデータからそれぞれ一部を抽出し、複数の前記コンテンツデータから抽出された前記抽出コンテンツデータの合計再生時間が前記充電所要時間よりも短くなるようにすることを特徴とする請求項５に記載のデータ提供装置。
【請求項７】
前記送出手段は、前記抽出コンテンツデータをストリーミングデータとして送出することを特徴とする請求項１に記載のデータ提供装置。
【請求項８】
前記送出手段は、前記電力供給時における単位時間当たりの供給電力量に基づいて前記抽出コンテンツデータの解像度を変更することを特徴とする請求項１に記載のデータ提供装置。
【請求項９】
前記送出手段は、前記電力供給時における単位時間当たりの供給電力量が多いほど前記抽出コンテンツデータの解像度を高くすることを特徴とする請求項８に記載のデータ提供装置。
【請求項１０】
前記送出手段は、前記電力供給装置を介して前記抽出コンテンツデータを前記情報処理装置に送出することを特徴とする請求項１〜９のいずれか一つに記載のデータ提供装置。
【請求項１１】
電力によって駆動可能な移動体に電力供給装置から電力供給する際に、前記移動体に搭載された情報処理装置にコンテンツデータを提供するデータ提供装置におけるデータ提供方法であって、
前記電力供給に要する時間（以下、「充電所要時間」という）に関する情報を取得する取得工程と、
前記充電所要時間に関する情報に基づいて、前記コンテンツデータの一部を抽出する抽出工程と、
前記抽出工程で抽出されたコンテンツデータ（以下、「抽出コンテンツデータ」という）を前記情報処理装置に送出する送出工程と、
を含んだことを特徴とするデータ提供方法。
【請求項１２】
請求項１１に記載のデータ提供方法をコンピュータに実行させることを特徴とするデータ提供プログラム。
【請求項１３】
請求項１２に記載のデータ提供プログラムを記録したコンピュータに読み取り可能な記録媒体。
【発明の詳細な説明】
【技術分野】
【０００１】
この発明は、電力によって駆動可能な移動体に電力供給装置から電力供給する際に、前記移動体に搭載された情報処理装置にコンテンツデータを提供するデータ提供装置、データ提供方法、データ提供プログラムおよび記録媒体に関する。ただし、この発明の利用は、上述したデータ提供装置、データ提供方法、データ提供プログラムおよび記録媒体に限られない。
【背景技術】
【０００２】
従来、ガソリンに代わり電力によって駆動可能な電気自動車やプラグインハイブリッド車（以下、単に「電気自動車」という）の開発が進んでいる。現在の技術では、電気自動車が１回の充電で走行できる距離は、ガソリン車が１回の給油で走行できる距離に比べて短く、頻繁に充電が必要となる。また、現在の技術では、電気自動車の充電にかかる所要時間は、ガソリン車の給油にかかる所要時間と比較して長時間となっている。【０００３】
このような背景の下、ＰＬＣ（Ｐｏｗｅｒ  Ｌｉｎｅ  Ｃｏｍｍｕｎｉｃａｔｉｏｎｓ）技術を用いて、電気自動車の充電と同時に、電力供給線を介してデータをダウンロードして車載器に蓄積する技術が開発されている（たとえば、下記特許文献１参照）。たとえば、特許文献１には、主制御ＥＣＵは、メインバッテリを充電するために車両と充電装置を接続して電力授受をおこなう際に、リクエスト蓄積部に蓄積されたコンテンツ要求情報に応じてサーバからコンテンツを受信するとともに、受信したコンテンツをコンテンツ蓄積部に蓄積させる技術が開示されている。
【先行技術文献】
【特許文献】
【０００４】
【特許文献１】特開２００７−２３０５２０号公報
【発明の概要】
【発明が解決しようとする課題】
【０００５】
しかしながら、上述した特許文献１の技術では、リクエストするコンテンツを事前に明確にしなければならないという問題点が一例として挙げられる。コンテンツデータが有料の場合、ナビゲーション装置における地図データなど、機器の動作に必須のデータであれば、ユーザは積極的にコンテンツをリクエストする可能性が高い。一方、楽曲コンテンツや映像コンテンツなど、エンターテインメント性が高いデータについては、その内容が購入に値するかを判断する機会がなければ、多くのユーザは購入（リクエスト）に至らないと考えられる。【０００６】
また、上述した特許文献１の技術では、充電およびデータのダウンロードを並列しておこなうことができるものの、ユーザの感覚として待ち時間を有効に利用しているという実感が薄いという問題点が一例として挙げられる。
【課題を解決するための手段】
【０００７】
上述した課題を解決し、目的を達成するため、請求項１の発明にかかるデータ提供装置は、電力によって駆動可能な移動体に電力供給装置から電力供給する際に、前記移動体に搭載された情報処理装置にコンテンツデータを提供するデータ提供装置であって、前記電力供給に要する時間（以下、「充電所要時間」という）に関する情報を取得する取得手段と、前記充電所要時間に関する情報に基づいて、前記コンテンツデータの一部を抽出する抽出手段と、前記抽出手段によって抽出されたコンテンツデータ（以下、「抽出コンテンツデータ」という）を前記情報処理装置に送出する送出手段と、を備えたことを特徴とする。【０００８】
また、請求項１１の発明にかかるデータ提供方法は、電力によって駆動可能な移動体に電力供給装置から電力供給する際に、前記移動体に搭載された情報処理装置にコンテンツデータを提供するデータ提供装置におけるデータ提供方法であって、前記電力供給に要する時間（以下、「充電所要時間」という）に関する情報を取得する取得工程と、前記充電所要時間に関する情報に基づいて、前記コンテンツデータの一部を抽出する抽出工程と、前記抽出工程で抽出されたコンテンツデータ（以下、「抽出コンテンツデータ」という）を前記情報処理装置に送出する送出工程と、を含んだことを特徴とする。【０００９】
また、請求項１２の発明にかかるデータ提供プログラムは、請求項１１に記載のデータ提供方法をコンピュータに実行させることを特徴とする。【００１０】
また、請求項１３の発明にかかる記録媒体は、請求項１２に記載のデータ提供プログラムをコンピュータに読み取り可能な状態で記録したことを特徴とする。
【図面の簡単な説明】
【００１１】
【図１】図１は、実施の形態にかかるデータ提供システムの機能的構成を示すブロック図である。
【図２】図２は、データ提供装置によるデータ提供処理の手順を示すフローチャートである。
【図３】図３は、実施例にかかるデータ提供システムのシステム構成を示す説明図である。
【図４】図４は、ナビゲーション装置のハードウェア構成を示すブロック図である。
【図５】図５は、データ提供サーバによるコンテンツデータ提供処理の手順を示すフローチャートである。
【発明を実施するための形態】
【００１２】
以下に添付図面を参照して、この発明にかかるデータ提供装置、データ提供方法、データ提供プログラムおよび記録媒体の好適な実施の形態を詳細に説明する。
【００１３】
（実施の形態）
図１は、実施の形態にかかるデータ提供システムの機能的構成を示すブロック図である。実施の形態にかかるデータ提供システム１００は、データ提供装置１１０、情報処理装置１２０、電力供給装置１３０によって構成される。
【００１４】
データ提供装置１１０は、電力によって駆動可能な移動体１４０に電力供給装置１３０から電力供給する際に、移動体１４０に搭載された情報処理装置１２０にコンテンツデータを提供する。データ提供装置１１０は、たとえば、有料で情報処理装置１２０にコンテンツデータを提供する。また、データ提供装置１１０は、無料の視聴データ（ダイジェスト版）として抽出コンテンツデータを生成し、充電中の移動体１４０に搭載された情報処理装置１２０に送出する。移動体１４０は、たとえば電力を動力源とする電気自動車（車両）であり、情報処理装置１２０は、たとえばコンテンツデータを視聴可能なナビゲーション装置である。
【００１５】
データ提供装置１１０は、取得部１１１、抽出部１１２、送出部１１３、受付部１１４、課金部１１５によって構成される。取得部１１１は、電力供給に要する時間（以下、「充電所要時間」という）に関する情報を取得する。充電所要時間に関する情報とは、たとえば、充電所要時間を示す数値情報である。取得部１１１は、たとえば、電力供給装置１３０から充電所要時間を示す数値情報を受信することにより、充電所要時間に関する情報を取得する。また、取得部１１１は、たとえば、電力供給装置１３０から移動体１４０に対して供給する電力量を、電力供給装置１３０の単位時間当たりの電力供給能力を示す電力量で除すことによって充電所要時間を示す数値情報を算出する。
【００１６】
抽出部１１２は、充電所要時間に関する情報に基づいて、データ提供装置１１０で提供するコンテンツデータの一部を抽出する。以下、抽出部１１２で抽出されたコンテンツデータを「抽出コンテンツデータ」という。抽出コンテンツデータは、たとえば、当該コンテンツデータの視聴用データやダイジェスト版として情報処理装置１２０に送出される。
【００１７】
抽出部１１２は、たとえば充電所要時間よりも再生時間が長いコンテンツデータを選択し、その一部を充電所要時間に合わせて抽出する。具体的には、抽出部１１２は、たとえば、抽出コンテンツデータの再生時間が、充電所要時間よりも短くなるように抽出コンテンツデータを抽出する。このとき、コンテンツデータのハイライト部分（たとえば、楽曲における「サビ」など）が抽出コンテンツデータに含まれるようにしてもよい。また、抽出部１１２は、たとえば、複数のコンテンツデータからそれぞれ一部を抽出し、複数のコンテンツデータから抽出された抽出コンテンツデータの合計再生時間が充電所要時間よりも短くなるようにしてもよい。
【００１８】
送出部１１３は、抽出部１１２によって抽出された抽出コンテンツデータを情報処理装置１２０に送出する。送出部１１３は、抽出コンテンツデータをストリーミングデータとして情報処理装置１２０に送出する。これは、抽出コンテンツデータを情報処理装置１２０に保存させないためである。
【００１９】
送出部１１３は、たとえば、移動体１４０に電力を供給する電力供給装置１３０を介して抽出コンテンツデータを情報処理装置１２０に送出する。より詳細には、送出部１１３は、たとえば、抽出コンテンツデータを電力供給装置１３０に送出し、電力供給装置１３０は、移動体１４０に設けられた充電用インターフェースを介して抽出コンテンツデータを移動体１４０に送出する。移動体１４０は、情報処理装置１２０との間の接続インターフェースを介して抽出コンテンツデータを情報処理装置１２０に送出する。また、送出部１１３は、たとえば、抽出コンテンツデータを電力供給装置１３０に送出し、電力供給装置１３０は、移動体１４０の充電中に、情報処理装置１２０に対して無線通信などによって抽出コンテンツデータを送信することとしてもよい。
【００２０】
また、送出部１１３は、たとえば、電力供給時における単位時間当たりの供給電力量に基づいて抽出コンテンツデータの解像度を変更するようにしてもよい。具体的には、送出部１１３は、たとえば、電力供給時における単位時間当たりの供給電力量が多いほど抽出コンテンツデータの解像度を高くする。
【００２１】
たとえば、電力供給の形態に「通常充電」および「高速充電（通常充電よりも単位時間当たりの供給電力量が多く、短時間で充電が完了する）」の２つのモードがある場合、送出部１１３は、高速充電が選択された際には通常充電が選択された際と比較して抽出コンテンツデータの解像度を高くして、より高品質な抽出コンテンツデータを送出する。これは、たとえば、電力供給装置１３０における電力供給が有料でおこなわれる場合、高速充電の方が通常充電と比較して充電料金が高く設定される可能性が高いためである。高速充電を選択したユーザに対するインセンティブとして高品質な抽出コンテンツデータを提供することにより、高速充電の利用を促すことができる。
【００２２】
受付部１１４は、情報処理装置１２０からコンテンツデータの全データの送出要求を受け付ける。全データとは、コンテンツ全体の視聴が可能なデータである。情報処理装置１２０のユーザは、たとえば、送出部１１３によって送出された抽出コンテンツデータを視聴することによって、全データの送出要求をおこなう。受付部１１４によって送出要求を受け付けた場合、送出部１１３は、コンテンツデータの全データを情報処理装置１２０に送出する。後述するように、全データの送出は、たとえば有料でおこなわれる。また、全データの送出は、情報処理装置１２０に全データを記録できる形態でおこなってもよいし、ストリーミング方式でおこなってもよい。
【００２３】
課金部１１５は、全データの送出に対する課金処理をおこなう。また、課金部１１５は、抽出コンテンツデータの送出に対しては課金処理をおこなわない。すなわち、情報処理装置１２０は、コンテンツデータの全データの提供を有料でおこない、抽出コンテンツデータ（視聴用データ）の提供は無料でおこなう。
【００２４】
つぎに、データ提供装置１１０によるデータ提供処理について説明する。図２は、データ提供装置によるデータ提供処理の手順を示すフローチャートである。図２のフローチャートにおいて、データ提供装置１１０は、まず、取得部１１１によって、移動体１４０の充電所要時間に関する情報を取得する（ステップＳ２０１）。つぎに、データ提供装置１１０は、抽出部１１２によって、充電所要時間に合わせてコンテンツデータの一部を抽出する（ステップＳ２０２）。
【００２５】
つづいて、データ提供装置１１０は、送出部１１３によって、ステップＳ２０２で抽出したコンテンツデータ（抽出コンテンツデータ）を情報処理装置１２０に送出する（ステップＳ２０３）。データ提供装置１１０は、受付部１１４によって、情報処理装置１２０からコンテンツデータの全データの送出要求を受け付けるまで待機する（ステップＳ２０４：Ｎｏのループ）。
【００２６】
受付部１１４によって全データの送出要求を受け付けると（ステップＳ２０４：Ｙｅｓ）、データ提供装置１１０は、送出部１１３によってコンテンツデータの全データを送出するとともに（ステップＳ２０５）、課金部１１５によって全データの送出に対する課金処理をおこなって（ステップＳ２０６）、本フローチャートによる処理を終了する。なお、ステップＳ２０４において、送出要求の受け付けを所定時間（たとえば、移動体１４０の充電所要時間）以上おこなわない場合は、そのままフローチャートを終了してもよい。
【００２７】
以上説明したように、実施の形態にかかるデータ提供システムにおいて、データ提供装置１１０は、電力によって駆動可能な移動体１４０に電力供給装置１３０から電力供給する際に、充電所要時間に基づいて抽出した抽出コンテンツデータを情報処理装置１２０に送出する。これにより、情報処理装置１２０のユーザ（以下、単に「ユーザ」という）は、充電中に視聴可能な長さのコンテンツデータを得ることができ、充電完了までの待ち時間を有効に活用することができる。
【００２８】
また、データ提供装置１１０は、情報処理装置１２０からコンテンツデータの全データの送出要求を受け付けた場合、コンテンツデータの全データを情報処理装置１２０に送出する。これにより、ユーザは、コンテンツデータの一部を視聴してから全データの送信を要求することができる。
【００２９】
特に、データ提供装置１１０において全データの送出に対する課金処理をおこなう場合、すなわち、全データの送信を有料でおこなう場合、コンテンツデータの一部を視聴できることによって、ユーザはコンテンツデータの内容を把握した上で、安心してコンテンツデータを購入することができる。
【００３０】
また、データ提供装置１１０は、充電所要時間よりも再生時間が長いコンテンツデータの一部を抽出したり、抽出コンテンツデータの再生時間が充電所要時間よりも短くなるようにしたり、複数のコンテンツデータからそれぞれ一部を抽出し、複数のコンテンツデータから抽出された抽出コンテンツデータの合計再生時間が充電所要時間よりも短くなるようにしたりして抽出コンテンツデータを生成する。これにより、充電中にコンテンツデータのすべてが視聴されてしまうのを回避して、コンテンツデータの購入（全データの送信要求）を促すことができる。
【００３１】
また、データ提供装置１１０において、抽出コンテンツデータをストリーミングデータとして送出することとすれば、情報処理装置１２０に抽出コンテンツデータが記録されるのを回避して、コンテンツデータの購入（全データの送信要求）を促すことができる。
【００３２】
また、データ提供装置１１０において、電力供給時における単位時間当たりの供給電力量に基づいて抽出コンテンツデータの解像度を変更、具体的には、電力供給時における単位時間当たりの供給電力量が多いほど抽出コンテンツデータの解像度を高くすることとすれば、高速充電の利用を促すことができ、充電設備の稼働率を向上させることができる。
【００３３】
また、データ提供装置１１０において、電力供給装置１３０を介して抽出コンテンツデータを情報処理装置１２０に送出することとすれば、データ提供装置１１０と情報処理装置１２０との間で直接通信する構成がない場合でも、情報処理装置１２０に対して情報を提供することができる。
【実施例】
【００３４】
以下に、本発明の実施例について説明する。本実施例では、実施の形態にかかるデータ提供装置１１０をデータ提供サーバ３１０、情報処理装置１２０を車両３２１に搭載されたナビゲーション装置３２０として本発明を適用した場合の一例について説明する。【００３５】
（データ提供システム３００のシステム構成）
図３は、実施例にかかるデータ提供システムのシステム構成を示す説明図である。実施の形態にかかるデータ提供システム３００は、データ提供サーバ３１０、車両３２１に搭載されたナビゲーション装置３２０、充電設備３３０によって構成される。【００３６】
データ提供サーバ３１０は、ナビゲーション装置３２０に対してコンテンツデータを提供する。データ提供サーバ３１０によるコンテンツデータの提供は、有料でおこなわれる。すなわち、ナビゲーション装置３２０のユーザは、データ提供サーバ３１０を運営するコンテンツデータ提供事業者などに対して、コンテンツデータに対する対価（コンテンツ料金）を支払うことによって、コンテンツデータの提供を受ける。【００３７】
本実施例において、データ提供サーバ３１０によって提供されるコンテンツデータは、ナビゲーション装置３２０において視聴することを前提とするが、たとえば、ナビゲーション装置３２０のユーザが保持する他のコンテンツ再生装置（図示なし）で視聴できるようにしてもよい。【００３８】
また、本実施例において、データ提供サーバ３１０は、充電設備３３０を介してナビゲーション装置３２０に情報提供をおこなう。より詳細には、データ提供サーバ３１０は、ナビゲーション装置３２０が搭載された車両３２１が充電設備３３０において充電をおこなう際に、充電設備３３０を介してナビゲーション装置３２０に対して情報が送出されるようにする。【００３９】
充電設備３３０を介した情報送出とは、たとえば、データ提供サーバ３１０から充電設備３３０に情報を送信し、ＰＬＣ（Ｐｏｗｅｒ  Ｌｉｎｅ  Ｃｏｍｍｕｎｉｃａｔｉｏｎｓ）技術を用いて、車両３２１の充電の際に、電力供給線を介してナビゲーション装置３２０にデータを送信する方法がある。また、たとえば、車両３２１の充電の際に、充電設備３３０とナビゲーション装置３２０（または車両３２１に設けられた通信ユニットなど）との間で無線通信を介して情報の送信をおこなってもよい。【００４０】
ナビゲーション装置３２０は、電力によって駆動可能な車両３２１に搭載されている。車両３２１は、図示しない蓄電池を搭載しており、蓄電池に蓄積された電力を動力源として駆動する。ナビゲーション装置３２０は、ユーザ（車両３２１の運転者など）によって設定された目的地点までの経路を探索したり、探索した経路に沿って経路誘導をおこなったりする。また、ナビゲーション装置３２０は、データ提供サーバ３１０から送信されたコンテンツデータの再生をおこなう。【００４１】
充電設備３３０は、車両３２１に対して電力を供給するインターフェース（具体的には、充電器など）を備えた設備である。充電設備３３０は、充電スタンド３３１などの商用施設であってもよいし、家庭や事業所などで発電した電気を他者の車両３２１に提供するための簡易的な設備であってもよい。充電設備３３０は、図示しない通信ユニットにおいてデータ提供サーバ３１０およびナビゲーション装置３２０との間の通信を制御する。【００４２】
（各構成部のハードウェア構成）
つぎに、データ提供システム３００の各構成部のハードウェア構成について説明する。図４は、ナビゲーション装置のハードウェア構成を示すブロック図である。ナビゲーション装置３２０は、ＣＰＵ４０１、ＲＯＭ４０２、ＲＡＭ４０３、各種データを記録／再生する記録再生部４０４、各種データを記録する記録部４０５、音声Ｉ／Ｆ（インターフェース）４０６、マイク４０７、スピーカ４０８、入力デバイス４０９、映像Ｉ／Ｆ４１０、ディスプレイ４１１、カメラ４１２、無線通信Ｉ／Ｆ４１３、充電通信Ｉ／Ｆ４１４、ＧＰＳユニット４１５を備えている。各構成部４０１〜４１５は、バス４２０によってそれぞれ接続されている。【００４３】
ＣＰＵ４０１は、ナビゲーション装置３２０の全体の制御を司る。ＲＯＭ４０２は、ブートプログラム、経路誘導プログラム、コンテンツ再生プログラムなどの各種プログラムソフトを記録している。ＲＡＭ４０３は、ＣＰＵ４０１のワークエリアとして使用される。すなわち、ＣＰＵ４０１は、ＲＡＭ４０３をワークエリアとして使用しながら、ＲＯＭ４０２に記録された各種プログラムを実行することによって、ナビゲーション装置３２０の全体の制御を司る。【００４４】
記録再生部４０４は、ＣＰＵ４０１の制御に従って記録部４０５に対するデータの読み取り／書き込みを制御する。記録部４０５は、記録再生部４０４の制御で書き込まれたデータを記録する。記録再生部４０４としては、たとえば、磁気ディスクドライブや光ディスクドライブ、記録部４０５としては、たとえば、ＨＤ（ハードディスク）、ＦＤ（フレキシブルディスク）、フラッシュメモリ、ＭＯ、ＳＳＤ（Ｓｏｌｉｄ  Ｓｔａｔｅ  Ｄｉｓｋ）、メモリカードなどを用いることができる。【００４５】
記録部４０５に記録される情報の一例としては、たとえば地図データ（地図データベース）が挙げられる。地図データは、経路誘導プログラムによる経路誘導処理や施設検索プログラムによる施設検索処理などに用いられる。地図データは、建物、河川、地表面などの地物（フィーチャ）をあらわす背景データや、道路の形状をあらわす道路形状データなどによって構成されている。【００４６】
また、記録部４０５に記録される情報の他の例としては、たとえば楽曲データや映像データなどのコンテンツデータが挙げられる。後述するように、記録部４０５は、たとえばデータ提供サーバ３１０から送信されたコンテンツデータを記録する。記録部４０５に記録されたコンテンツデータを再生することにより、車両３２１の搭乗者は、車両３２１の走行中にコンテンツデータを視聴することができる。【００４７】
図４の説明に戻り、音声Ｉ／Ｆ４０６は、音声入力用のマイク４０７および音声出力用のスピーカ４０８に接続される。音声Ｉ／Ｆ４０６は、再生が指示された音声データをＤ／Ａ変換して、スピーカ４０８から音声として出力させる。なお、スピーカ４０８は、ナビゲーション装置３２０から着脱可能であってもよいし、ナビゲーション装置３２０の本体から離れた場所にあってもよい。マイク４０７は、たとえば、車両のサンバイザー付近に設置され、ユーザの発話などを集音し、音声Ｉ／Ｆ４０６に出力する。マイク４０７に集音された音声は、音声Ｉ／Ｆ４０６内でＡ／Ｄ変換される。【００４８】
入力デバイス４０９は、文字、数値、各種指示などの入力のための複数のキーを備えたリモコン、キーボード、およびタッチパネルなどによって構成される。入力デバイス４０９は、リモコン、キーボード、タッチパネルのうちいずれか１つの形態によって実現されてもよいが、複数の形態によって実現することも可能である。【００４９】
映像Ｉ／Ｆ４１０は、ディスプレイ４１１およびカメラ４１２に接続される。映像Ｉ／Ｆ４１０は、具体的には、たとえば、ディスプレイ４１１を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ４１１を制御する制御ＩＣなどによって構成される。【００５０】
ディスプレイ４１１には、地図データやアイコン、カーソル、メニュー、ウィンドウ、あるいは文字や画像などの各種データが表示される。また、ディスプレイ４１１の表面にはセンサが設けられており、物体の接近および接触を検知することによって入力デバイス４０９（タッチパネル）として利用される。また、ディスプレイ４１１は、車両３２１内に複数（たとえば、ダッシュボード付近と後部座席側など）設けられていてもよく、それぞれのディスプレイ４１１で異なる情報を出力できるようにしてもよい。【００５１】
カメラ４１２は、ナビゲーション装置３２０が搭載された車両３２１の内部あるいは外部の映像を撮影する。カメラ４１２で撮影する映像は静止画あるいは動画のどちらでもよい。カメラ４１２によって撮影された映像は、映像Ｉ／Ｆ４１０を介して記録部４０５などに記録される。【００５２】
無線通信Ｉ／Ｆ４１３は、無線通信を用いてネットワークに接続され、ネットワークを介したデータの送受信を可能とする。無線通信Ｉ／Ｆ４１３を用いることにより、ナビゲーション装置３２０は、たとえば渋滞情報やコンテンツデータなどを送受信することが可能となる。通信網には、ＬＡＮ、ＷＡＮ、公衆回線網や携帯電話網などがある。【００５３】
また、無線通信Ｉ／Ｆ４１３は、たとえばＷｉ−Ｆｉ（登録商標）に準拠した無線通信ユニットであってもよい。この場合、無線通信Ｉ／Ｆ４１３は、近距離無線通信によって、通信可能領域に位置する他の情報処理装置（たとえば、充電設備３３０など）と通信する。この場合、無線通信Ｉ／Ｆ４１３は、ネットワークを介さずに他の情報処理装置との間で直接通信をおこなうことができる。【００５４】
充電通信Ｉ／Ｆ４１４は、ＰＬＣ（Ｐｏｗｅｒ  Ｌｉｎｅ  Ｃｏｍｍｕｎｉｃａｔｉｏｎｓ）技術を用いて車両３２１の充電時に送受信する情報のインターフェースである。この場合、充電通信Ｉ／Ｆ４１４は、車両３２１に電力を供給する充電設備３３０との間で情報を送受信する。【００５５】
ＧＰＳユニット４１５は、ＧＰＳ衛星からの電波を受信し、ナビゲーション装置３２０が搭載された車両３２１の現在地点を示す情報を出力する。また、ＧＰＳユニット４１５は、速度センサ、加速度センサ、角速度センサなどの各種センサを備える。ＧＰＳユニット４１５の出力情報は、ＣＰＵ４０１によるナビゲーション装置３２０の現在地点の算出に際して利用される。現在地点を示す情報は、たとえば緯度・経度、高度などの、地図データ上の１点を特定する情報である。【００５６】
また、情報提供サーバ３１０は、上述したナビゲーション装置３２０の構成のうち、少なくともＣＰＵ４０１、ＲＯＭ４０２、ＲＡＭ４０３、記録再生部４０４、記録部４０５、入力デバイス４０９、充電通信Ｉ／Ｆ４１４（または無線通信Ｉ／Ｆ４１３）を備えていればよい。【００５７】
図１に示したデータ提供装置１１０および情報処理装置１２０の各構成部は、図４におけるＲＯＭ４０２、ＲＡＭ４０３、記録部４０５などに記録されたプログラムやデータを用いて、ＣＰＵ４０１が所定のプログラムを実行し、各部を制御することによってその機能を実現する。【００５８】
（データ提供システムによるデータ提供処理）
つぎに、データ提供システム３００によるコンテンツデータの提供処理について説明する。上述のように、データ提供サーバ３１０は、ナビゲーション装置３２０に対してコンテンツデータを提供する。本実施例において、データ提供サーバ３１０によるコンテンツデータの提供は、ナビゲーション装置３２０が搭載された車両３２１の充電中に充電設備３３０を介しておこなわれる。これは、たとえば、充電設備３３０の運営者が利用者に対するサービス向上のため、充電中の時間を利用してコンテンツデータを購入できるようにしたものである。【００５９】
ここで、コンテンツデータの提供は有料でおこなわれるが、充電設備３３０の利用者は、充電中に無料でコンテンツの視聴をおこなうことができる。利用者は、視聴したコンテンツが気に入った場合は、そのままコンテンツデータを購入することができ、充電完了までの待ち時間を有効に活用できる。【００６０】
図５は、データ提供サーバによるコンテンツデータ提供処理の手順を示すフローチャートである。図５のフローチャートにおいて、データ提供サーバ３１０は、充電設備３３０に車両３２１が接続されるまで待機する（ステップＳ５０１：Ｎｏのループ）。充電設備３３０に車両３２１が接続されると（ステップＳ５０１：Ｙｅｓ）、データ提供サーバ３１０は、車両３２１または充電設備３３０から今回の充電量に関する情報を受信する（ステップＳ５０２）。充電量に関する情報とは、たとえば、車両３２１の搭乗者が充電設備３３０に対して指定した充電量の情報や、車両３２１の満充電量と現在の残電力量との差分情報などである。【００６１】
つぎに、データ提供サーバ３１０は、ステップＳ５０２で取得した充電量に関する情報に基づいて、今回の充電に要する所要時間（充電所要時間）を推定する（ステップＳ５０３）。なお、車両３２１または充電設備３３０から直接充電所要時間の情報を得られる場合は、ステップＳ５０３の処理はおこなわなくてもよい。【００６２】
つづいて、データ提供サーバ３１０は、ステップＳ５０３で推定した充電所要時間に基づいて、視聴データを送信するコンテンツ（対象コンテンツ）を決定し（ステップＳ５０４）、対象コンテンツのリストをナビゲーション装置３２０に送信する（ステップＳ５０５）。対象コンテンツとしては、たとえば、コンテンツ全体の再生時間（再生に要する時間）が、充電所要時間よりも十分に長い（たとえば、充電所要時間の３倍以上など）コンテンツを選択する。これは、充電中にコンテンツの再生が終了してしまわないように（すなわち、コンテンツ全体を無料で視聴できないように）するためである。【００６３】
なお、上記のようにコンテンツ全体の再生時間と充電所要時間とに基づいて対象コンテンツを決定する他、たとえば、コンテンツデータごとに視聴時間の上限を定めておき、その上限時間が過ぎたら視聴データの再生を停止するようにしてもよい。この方法であれば、コンテンツ全体の再生時間が充電所要時間よりも短い場合であっても、対象コンテンツに含めることができる。また、対象コンテンツは、ナビゲーション装置３２０のユーザによる過去のコンテンツ購入履歴や視聴履歴に基づいて決定してもよい。すなわち、ユーザが過去に購入または視聴したコンテンツと同じアーティストや同じジャンルのコンテンツから対象コンテンツを選択してもよい。【００６４】
ナビゲーション装置３２０のユーザは、ステップＳ５０５で送信された対象コンテンツリストから視聴を希望するコンテンツを選択し、選択したコンテンツの情報（選択コンテンツ情報）をデータ提供サーバ３１０に送信する。データ提供サーバ３１０は、ナビゲーション装置３２０から選択コンテンツ情報を受信すると（ステップＳ５０６：Ｙｅｓ）、ナビゲーション装置３２０に選択コンテンツの視聴データを送信する（ステップＳ５０７）。【００６５】
視聴データは、あらかじめコンテンツデータを所定時間分抽出しておいたもの（ダイジェスト版）であってもよいし、送信時に充電所要時間に合わせてコンテンツデータを部分的に抽出したもの（たとえば、コンテンツデータの先頭から所定時間分抽出したもの）であってもよい。また、選択コンテンツが複数指定された場合、複数の選択コンテンツデータからそれぞれ一部を抽出し、合計再生時間が充電所要時間よりも短くなるようにして視聴データを生成してもよい。さらに、視聴データは、ナビゲーション装置３２０に記録できないよう、たとえばストリーミングデータとして送信される。【００６６】
また、データ提供サーバ３１０は、たとえば、車両３２１に対する電力供給時における単位時間当たりの供給電力量に基づいて視聴データの解像度を変更するようにしてもよい。具体的には、たとえば、電力供給の形態に「通常充電」および「高速充電（通常充電よりも単位時間当たりの供給電力量が多く、短時間で充電が完了する）」の２つのモードがある場合、高速充電が選択された際には通常充電が選択された際と比較して視聴データの解像度を高くして、より高品質な視聴データを送信する。これは、たとえば、充電設備３３０における電力供給が有料でおこなわれる場合、高速充電の方が通常充電と比較して充電料金が高く設定される可能性が高いためである。高速充電を選択したユーザに対するインセンティブとして高品質な視聴データを提供することにより、高速充電の利用を促すことができる。【００６７】
一方、ステップＳ５０６において、選択コンテンツ情報を受信しない場合は（ステップＳ５０６：Ｎｏ）、ステップＳ５１４に移行する。【００６８】
視聴データの送信後、データ提供サーバ３１０は、車両３２１の充電完了まで所定時間未満となったか否かを判断する（ステップＳ５０８）。充電完了まで所定時間未満になったか否かは、たとえば、車両３２１が充電を開始した時刻および充電所要時間に基づいて判断してもよいし、充電設備３３０から残りの充電所要時間の情報を受信して判断してもよい。充電完了まで所定時間未満となった場合は（ステップＳ５０８：Ｙｅｓ）、ステップＳ５１０に移行する。【００６９】
一方、充電完了まで所定時間未満とならない場合（ステップＳ５０８：Ｎｏ）、データ提供サーバ３１０は、ナビゲーション装置３２０において視聴データの再生が終了したか否かを判断する（ステップＳ５０９）。視聴データの再生が終了したかは、たとえば、視聴データの送信時刻と視聴データの長さ（再生に要する時間）とに基づいて判断してもよいし、ナビゲーション装置３２０から視聴データの再生終了の通知を受けるようにしてもよい。【００７０】
また、車両３２１の充電完了まで所定時間未満とならない場合（ステップＳ５０８：Ｎｏ）や視聴データの再生が終了しない場合（ステップＳ５０９：Ｎｏ）において、データ提供サーバ３１０は、ナビゲーション装置３２０から他の視聴データの送信要求を受け付けてもよい。すなわち、ステップＳ５０７で送信した視聴データがナビゲーション装置３２０のユーザの嗜好に合わない場合には、他のコンテンツデータを視聴できるようにしてもよい。この場合、データ提供サーバ３１０は、指定された他の視聴データをナビゲーション装置３２０に送信する。【００７１】
視聴データの再生が終了した場合（ステップＳ５０９：Ｙｅｓ）、および車両３２１の充電完了まで所定時間未満となった場合（ステップＳ５０８：Ｙｅｓ）、データ提供サーバ３１０は、視聴データを送信したコンテンツを購入するか否かの選択メッセージをナビゲーション装置３２０に送信する（ステップＳ５１０）。ステップＳ５０８で車両３２１の充電完了まで所定時間未満となった場合にステップＳ５１０に移行するのは、コンテンツデータの送受信に要する時間を考慮しているためである。すなわち、ステップＳ５０８の所定時間とは、少なくとも充電中にコンテンツデータの送受信が終了できる時間とする。なお、ナビゲーション装置３２０における視聴データの再生時に、ナビゲーション装置３２０のディスプレイ４１１に選択メッセージを常時表示するようにしてもよい。【００７２】
データ提供サーバ３１０からの選択メッセージの送信を受け、ナビゲーション装置３２０のユーザは、コンテンツデータを購入するか否かを判断し、データ提供サーバ３１０に対して購入するか否かの返答をおこなう。ユーザからコンテンツデータを購入するとの返答を得た場合（ステップＳ５１１：Ｙｅｓ）、データ提供サーバ３１０は、コンテンツの全データをナビゲーション装置３２０に送信するとともに（ステップＳ５１２）、コンテンツデータの購入に対する課金処理をおこなう（ステップＳ５１３）。【００７３】
ステップＳ５１２において、データ提供サーバ３１０は、たとえば、ナビゲーション装置３２０の記録部４０５に記録可能な形式でコンテンツの全データを送信したり、ストリーミング方式などで視聴データのつづきを送信したりする。なお、ストリーミング方式などで視聴データのつづきを送信する場合、ステップＳ５１２の処理は、厳密には「全データを送信」ではなく、「視聴データ以外の全データを送信」となる。【００７４】
また、コンテンツデータの購入に対する課金方法としては、たとえば電力供給に対する対価とともにユーザから徴収したり、あらかじめ登録されたユーザのクレジットカードから引き落としたりする方法がある。一方、ステップＳ５１１において、ユーザからコンテンツデータを購入しないとの返答を得た場合は（ステップＳ５１１：Ｎｏ）、ステップＳ５１４に移行する。【００７５】
車両３２１と充電設備３３０との接続が解除されるまで（ステップＳ５１４：Ｎｏ）、データ提供サーバ３１０は、ステップＳ５０５に戻り、以降の処理をくり返す。なお、一般的に充電が完了すれば、車両３２１と充電設備３３０との接続が解除されると考えられるが、たとえば、ナビゲーション装置３２０のユーザが、引き続きコンテンツデータの視聴をおこないたい場合には、そのまま車両３２１と充電設備３３０との接続を継続してコンテンツデータの視聴をおこなわせてもよい。一方で、充電が終了した後も車両３２１が充電設備３３０を占有するのが望ましくない場合には、充電終了後は視聴をおこなえないようにしてもよい。【００７６】
そして、車両３２１と充電設備３３０との接続が解除されると（ステップＳ５１４：Ｙｅｓ）、データ提供サーバ３１０は、本フローチャートによる処理を終了する。【００７７】
なお、本実施例では、充電設備３３０を介してデータ提供サーバ３１０からナビゲーション装置３２０にコンテンツデータを送信することとしたが、情報提供サーバ３１０から直接ナビゲーション装置３２０にコンテンツデータを送信してもよい。この場合、データ提供サーバ３１０は、充電通信Ｉ／Ｆ４１４（図４参照）に代えて、たとえば無線通信Ｉ／Ｆ４１３を備える。【００７８】
以上説明したように、実施例にかかるデータ提供システム３００において、データ提供サーバ３１０は、電力によって駆動可能な車両３２１に充電設備３３０から電力供給する際に、充電所要時間に基づいて抽出した視聴データをナビゲーション装置３２０に送出する。これにより、ナビゲーション装置３２０のユーザ（以下、単に「ユーザ」という）は、充電中に視聴可能な長さの視聴データを得ることができ、充電完了までの待ち時間を有効に活用することができる。【００７９】
また、データ提供サーバ３１０は、ナビゲーション装置３２０からコンテンツデータの全データの送出要求を受け付けた場合、コンテンツデータの全データをナビゲーション装置３２０に送出する。これにより、ユーザは、コンテンツデータの一部を視聴してから全データの送信を要求することができる。【００８０】
特に、データ提供サーバ３１０において全データの送出に対する課金処理をおこなう場合、すなわち、全データの送信を有料でおこなう場合、コンテンツデータの一部を視聴できることによって、ユーザはコンテンツデータの内容を把握した上で、安心してコンテンツデータを購入することができる。【００８１】
また、データ提供サーバ３１０は、充電所要時間よりも再生時間が長いコンテンツデータの一部を抽出したり、視聴データの再生時間が充電所要時間よりも短くなるようにしたり、複数のコンテンツデータからそれぞれ一部を抽出し、複数のコンテンツデータから抽出された視聴データの合計再生時間が充電所要時間よりも短くなるようにしたりして視聴データを生成する。これにより、充電中にコンテンツデータのすべてが視聴されてしまうのを回避して、コンテンツデータの購入（全データの送信要求）を促すことができる。【００８２】
また、データ提供サーバ３１０において、視聴データをストリーミングデータとして送出することとすれば、ナビゲーション装置３２０に視聴データが記録されるのを回避して、コンテンツデータの購入（全データの送信要求）を促すことができる。【００８３】
また、データ提供サーバ３１０において、電力供給時における単位時間当たりの供給電力量に基づいて視聴データの解像度を変更、具体的には、電力供給時における単位時間当たりの供給電力量が多いほど視聴データの解像度を高くすることとすれば、高速充電の利用を促すことができ、充電設備３３０の稼働率を向上させることができる。【００８４】
また、データ提供サーバ３１０において、充電設備３３０を介して視聴データをナビゲーション装置３２０に送出することとすれば、データ提供サーバ３１０とナビゲーション装置３２０との間で直接通信する構成がない場合でも、ナビゲーション装置３２０に対して情報を提供することができる。【００８５】
なお、本実施の形態で説明したデータ提供方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００８６】
１００  データ提供システム
１１０  データ提供装置
１１１  取得部
１１２  抽出部
１１３  送出部
１１４  受付部
１１５  課金部
１２０  情報処理装置
１３０  電力供給装置
１４０  移動体
【図１】
2011104883.tif 000003
【図２】
2011104883.tif 000004
【図３】
2011104883.tif 000005
【図４】
2011104883.tif 000006
【図５】
2011104883.tif 000007
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
電力によって駆動可能な移動体に電力供給装置から電力供給する際に、前記移動体に搭載された情報処理装置にコンテンツデータを提供するデータ提供装置であって、
前記電力供給に要する時間（以下、「充電所要時間」という）に関する情報を取得する取得手段と、
前記充電所要時間に関する情報に基づいて、前記コンテンツデータの一部を抽出する抽出手段と、
前記抽出手段によって抽出されたコンテンツデータ（以下、「抽出コンテンツデータ」という）を前記情報処理装置に送出する送出手段と、
を備え、
前記送出手段は、前記電力供給時における単位時間当たりの供給電力量に基づいて前記抽出コンテンツデータの解像度を変更することを特徴とするデータ提供装置。
【請求項２】
前記送出手段は、前記電力供給時における単位時間当たりの供給電力量が多いほど前記抽出コンテンツデータの解像度を高くすることを特徴とする請求項１に記載のデータ提供装置。
【請求項３】
電力によって駆動可能な移動体に電力供給装置から電力供給する際に、前記移動体に搭載された情報処理装置にコンテンツデータを提供するデータ提供装置におけるデータ提供方法であって、
前記電力供給に要する時間（以下、「充電所要時間」という）に関する情報を取得する取得工程と、
前記充電所要時間に関する情報に基づいて、前記コンテンツデータの一部を抽出する抽出工程と、
前記抽出工程で抽出されたコンテンツデータ（以下、「抽出コンテンツデータ」という）を前記情報処理装置に送出する送出工程と、
を含み、
前記送出工程は、前記電力供給時における単位時間当たりの供給電力量に基づいて前記抽出コンテンツデータの解像度を変更することを特徴とするデータ提供方法。
【請求項４】
請求項３に記載のデータ提供方法をコンピュータに実行させることを特徴とするデータ提供プログラム。
【請求項５】
請求項４に記載のデータ提供プログラムを記録したコンピュータに読み取り可能な記録媒体。
【手続補正２】
【補正対象書類名】明細書
【補正対象項目名】０００７
【補正方法】変更
【補正の内容】
【０００７】
上述した課題を解決し、目的を達成するため、請求項１の発明にかかるデータ提供装置は、電力によって駆動可能な移動体に電力供給装置から電力供給する際に、前記移動体に搭載された情報処理装置にコンテンツデータを提供するデータ提供装置であって、前記電力供給に要する時間（以下、「充電所要時間」という）に関する情報を取得する取得手段と、前記充電所要時間に関する情報に基づいて、前記コンテンツデータの一部を抽出する抽出手段と、前記抽出手段によって抽出されたコンテンツデータ（以下、「抽出コンテンツデータ」という）を前記情報処理装置に送出する送出手段と、を備え、前記送出手段は、前記電力供給時における単位時間当たりの供給電力量に基づいて前記抽出コンテンツデータの解像度を変更することを特徴とする。
【手続補正３】
【補正対象書類名】明細書
【補正対象項目名】０００８
【補正方法】変更
【補正の内容】
【０００８】
また、請求項３の発明にかかるデータ提供方法は、電力によって駆動可能な移動体に電力供給装置から電力供給する際に、前記移動体に搭載された情報処理装置にコンテンツデータを提供するデータ提供装置におけるデータ提供方法であって、前記電力供給に要する時間（以下、「充電所要時間」という）に関する情報を取得する取得工程と、前記充電所要時間に関する情報に基づいて、前記コンテンツデータの一部を抽出する抽出工程と、前記抽出工程で抽出されたコンテンツデータ（以下、「抽出コンテンツデータ」という）を前記情報処理装置に送出する送出工程と、を含み、前記送出工程は、前記電力供給時における単位時間当たりの供給電力量に基づいて前記抽出コンテンツデータの解像度を変更することを特徴とする。
【手続補正４】
【補正対象書類名】明細書
【補正対象項目名】０００９
【補正方法】変更
【補正の内容】
【０００９】
また、請求項４の発明にかかるデータ提供プログラムは、請求項３に記載のデータ提供方法をコンピュータに実行させることを特徴とする。
【手続補正５】
【補正対象書類名】明細書
【補正対象項目名】００１０
【補正方法】変更
【補正の内容】
【００１０】
また、請求項５の発明にかかる記録媒体は、請求項４に記載のデータ提供プログラムをコンピュータに読み取り可能な状態で記録したことを特徴とする。
【国際調査報告】
2011104883.tif 000008
2011104883.tif 000009
2011104883.tif 000010
2011104883.tif 000011